(57)【要約】【課題】ＬＥＤランプを搭載したプリント回路板と光抜き孔を設けたフロントパネルとが重ねて配置された電子機器において、ＬＥＤランプから出射した光を目視可能な範囲を広くする。【解決手段】ＬＥＤランプ４０２を搭載したプリント回路板５と、ＬＥＤランプ４０２の光の出射方向にプリント回路板５と重ねて配置され、ＬＥＤランプ４０２から出射した光を通過させる光抜き孔６０２が設けられたフロントパネル６とを備えた電子機器において、フロントパネル６の光抜き孔６０２の内周面に反射膜８を設けた電子機器。【選択図】図３
2014135137.tif 000002
【特許請求の範囲】
【請求項１】
ＬＥＤランプを搭載したプリント回路板と、前記ＬＥＤランプの光の出射方向に前記プリント回路板と重ねて配置され、前記ＬＥＤランプから出射した光を通過させる光抜き孔が設けられたフロントパネルとを備えた電子機器において、
前記フロントパネルの光抜き孔の内周面に反射膜を設けたことを特徴とする電子機器。
【請求項２】
ＬＥＤランプを搭載したプリント回路板と、前記ＬＥＤランプの光の出射方向に前記プリント回路板と重ねて配置され、前記ＬＥＤランプから出射した光を通過させる光抜き孔が設けられたフロントパネルとを備えた電子機器において、
前記フロントパネルの光抜き孔の内周面に鏡面加工を施したことを特徴とする電子機器。
【請求項３】
前記フロントパネルは、前記ＬＥＤランプの発光色に対する反対色であることを特徴とする請求項１又は請求項２に記載の電子機器。
【請求項４】
前記フロントパネルの光抜き孔の内周面に凹凸部を設けたことを特徴とする請求項１乃至請求項３のいずれか１つに記載の電子機器。
【発明の詳細な説明】
【技術分野】
【０００１】
本発明は、ＬＥＤランプを搭載したプリント回路板と光抜き孔を設けたフロントパネルとが重ねて配置された電子機器に関する。
【背景技術】
【０００２】
電子機器の一種であるインバータ装置には、インバータ回路の動作設定を行う操作パネルを備えたものがある。
【０００３】
操作パネルには、７セグメントＬＥＤやＬＥＤランプ等を用いた表示手段が設けられている（例えば、特許文献１を参照。）。７セグメントＬＥＤは、インバータ回路の動作を制御する制御パラメータの名称や設定値等の表示に用いられる。ＬＥＤランプは、電源のオン・オフやインバータ回路の動作状態等の表示に用いられる。
【０００４】
この種の操作パネルは、インバータ装置の外面に設けられるフロントパネルと、インバータ装置内にフロントパネルと重ねて配置されるプリント回路板とを備える。プリント回路板には、表示手段である７セグメントＬＥＤやＬＥＤランプ等に加え、押圧スイッチ等の入力手段が搭載されている。フロントパネルには、７セグメントＬＥＤやＬＥＤランプから出射した光を通過させる光抜き孔や、押圧スイッチを押すための押圧部等が形成されている。
【先行技術文献】
【特許文献】
【０００５】
【特許文献１】特開平０６−１１０４０８号公報
【発明の概要】
【発明が解決しようとする課題】
【０００６】
上記の操作パネルにおけるＬＥＤランプは、出射光軸がフロントパネルの正面方向と一致するように設けられる。そのため、ＬＥＤランプから出射した光（以下「出射光」ともいう。）のうち出射光軸からの傾きが大きい成分は、光抜き孔の内周面で反射した後、フロントパネルの正面方向からの傾きが大きい斜め方向に出光する。
【０００７】
しかしながら、ＬＥＤランプは出射光の指向性が高く、出射光軸からの傾きが大きい方向に出射する光は強度が弱い。このため、光抜き孔の内周面で反射してフロントパネルから斜め方向に出光する光は強度が弱い。特に、フロントパネルが黒色等の濃い色である場合、光抜き孔の内周面に入射した光の大部分が吸収されるため、内周面で反射してフロントパネルから斜め方向に出光する光の強度がさらに弱くなる。その結果、フロントパネルを斜め方向から見た場合、ＬＥＤランプが点灯しているか否かがわかりづらいという問題がある。
【０００８】
なお、上記の問題は、インバータ装置に限らず、ＬＥＤランプを搭載したプリント回路板と光抜き孔を設けたフロントパネルとが重ねて配置された操作パネルを備える電子機器全般で生じる。
【０００９】
本発明は、上記に鑑みてなされたものであって、ＬＥＤランプを搭載したプリント回路板と光抜き孔を設けたフロントパネルとが重ねて配置された電子機器において、ＬＥＤランプから出射した光を目視可能な範囲を広くすることを目的とする。
【課題を解決するための手段】
【００１０】
上述の目的を達成するために、本発明の請求項１に係る電子機器は、ＬＥＤランプを搭載したプリント回路板と、前記ＬＥＤランプの光の出射方向に前記プリント回路板と重ねて配置され、前記ＬＥＤランプから出射した光を通過させる光抜き孔が設けられたフロントパネルとを備えた電子機器において、前記フロントパネルの光抜き孔の内周面に反射膜を設けたことを特徴とする。
【００１１】
また、本発明の請求項２に係る電子機器は、ＬＥＤランプを搭載したプリント回路板と、前記ＬＥＤランプの光の出射方向に前記プリント回路板と重ねて配置され、前記ＬＥＤランプから出射した光を通過させる光抜き孔が設けられたフロントパネルとを備えた電子機器において、前記フロントパネルの光抜き孔の内周面に鏡面加工を施したことを特徴とする。
【００１２】
また、本発明の請求項３に係る電子機器は、上記請求項１又は請求項２に係る電子機器において、前記フロントパネルは、前記ＬＥＤランプの発光色に対する反対色であることを特徴とする。
【００１３】
また、本発明の請求項４に係る電子機器は、上記請求項１乃至請求項３のいずれかに係る電子機器において、前記フロントパネルの光抜き孔の内周面に凹凸部を設けたことを特徴とする。
【発明の効果】
【００１４】
本発明によれば、ＬＥＤランプから出射した光の一部は、光抜き孔の内周面に設けた反射膜で反射し、フロントパネルの正面方向からの傾きが大きい斜め方向に出光する。反射膜で反射した光は反射による強度の低下が少ないので、フロントパネルから斜め方向に出光する光の強度の低下を抑えられる。そのため、フロントパネルを斜め方向から見た場合にもＬＥＤランプが点灯しているか否かがわかりやすい。すなわち、本発明に係る電子機器は、ＬＥＤランプが発した光を目視可能な範囲を広くすることができる。
【図面の簡単な説明】
【００１５】
【図１】図１は、本発明の実施の形態１であるインバータ装置の概略構成を示すブロック図である。
【図２】図２は、本実施の形態のインバータ装置における操作パネルの構成例を示す正面図である。
【図３】図３は、図２のＡ−Ａ線断面図である。
【図４】図４は、図３における第１のＬＥＤランプ及びその周辺を拡大した断面図である。
【図５】図５は、本発明の実施の形態４であるインバータ装置における操作パネルの主要部を示す断面図である。
【図６】図６は、本発明の実施の形態５であるインバータ装置における操作パネルの主要部を示す断面図である。
【発明を実施するための形態】
【００１６】
以下、図面を参照しながら、本発明に係る電子機器の実施の形態を詳細に説明する。なお、実施の形態を説明するための全図において、同一機能を有するものは同一符号を付け、その繰り返しの説明は省略する。
【００１７】
（実施の形態１）
図１は、本発明の実施の形態１であるインバータ装置の概略構成を示すブロック図である。図２は、本実施の形態のインバータ装置における操作パネルの構成例を示す正面図である。図３は、図２のＡ−Ａ線断面図である。
【００１８】
本実施の形態では、本発明に係る電子機器として、電動ポンプ等を駆動する交流電動機に電力を供給するインバータ装置を挙げる。このインバータ装置は、図１に示すように、インバータ回路１、制御手段２、入力手段３、及び表示手段４を備える。
【００１９】
インバータ回路１は、電源から供給される直流電力又は交流電力を所定周波数の交流電力に変換して出力する回路であり、ＩＧＢＴ（Ｉｎｓｕｌａｔｅｄ  Ｇａｔｅ  Ｂｉｐｏｌａｒ  Ｔｒａｎｓｉｓｔｏｒ）等の半導体素子で構築してある。インバータ回路１が出力する交流電力の周波数は、制御手段２のインバータ回路制御部２０２で制御する。
【００２０】
制御手段２は、インバータ装置の動作を制御するものであり、入力受付部２０１、インバータ回路制御部２０２、表示制御部２０３、及びメモリ２０４を備える。入力受付部２０１は、入力手段３からの入力信号を受け付け、インバータ回路制御部２０２や表示制御部２０３に入力信号に基づいた制御動作をさせたり、入力信号をメモリ２０４に格納したりする。インバータ回路制御部２０２は、入力手段３からの入力信号、メモリ２０４に格納された制御プログラム及び制御パラメータの設定値等に基づいてインバータ回路１を制御する。表示制御部２０３は、入力手段３からの入力信号やインバータ回路制御部２０２からの指令等に基づいて、表示手段４による表示を制御する。
【００２１】
入力手段３は、インバータ装置の起動及び終了の指令、インバータ回路１の制御に必要な制御パラメータの設定値等を入力するものであり、押圧スイッチやロータリースイッチ等の複数のスイッチを備える。
【００２２】
表示手段４は、インバータ装置の動作状態や制御パラメータの設定値等を表示するものであり、７セグメントＬＥＤ４０１、第１のＬＥＤランプ４０２、第２のＬＥＤランプ４０３等を備える。７セグメントＬＥＤ４０１は、制御パラメータの名称や設定値等の表示に用いる。第１のＬＥＤランプ４０２、第２のＬＥＤランプ４０３等のＬＥＤランプは、電源のオン・オフやインバータ回路の動作状態等のインバータ装置の動作状態の表示に用いる。
【００２３】
この種のインバータ装置における入力手段３及び表示手段４は、操作パネルとして集約され、インバータ回路１等を収容する筐体の表面に配設される。
【００２４】
操作パネルは、図２及び図３に示すように、プリント回路板５、フロントパネル６、及び表面シート７を備える。
【００２５】
プリント回路板５は、入力手段３としての押圧スイッチ３０１や表示手段４（７セグメントＬＥＤ４０１、第１のＬＥＤランプ４０２等）が搭載された回路基板である。このプリント回路板５は、７セグメントＬＥＤ４０１、第１のＬＥＤランプ４０２等の出射光がインバータ装置の外方に向けて出射し、かつ第１のＬＥＤランプ４０２の出射光軸ＬＸが操作パネルの正面方向と一致するように配設される。なお、プリント回路板５は、制御手段２としての制御回路を内蔵した回路基板であってもよいし、制御手段２としての制御回路が形成された制御基板とは別の回路基板であってもよい。
【００２６】
フロントパネル６は、第１のＬＥＤランプ４０２等の光の出射方向にプリント回路板５と重ねて配置されたカバー部材である。このフロントパネル６には、７セグメントＬＥＤ４０１の表示面を露出させる表示窓６０１、第１のＬＥＤランプ４０２等のＬＥＤランプから出射した光を通過させる光抜き孔６０２が設けられている。また、フロントパネル６には、押圧スイッチ３０１を押圧するための押圧部（図示せず）や、ロータリースイッチの軸を挿通するための挿通穴等も設けられている。さらに、本実施の形態のインバータ装置におけるフロントパネル６には、光抜き孔６０２の内周面に反射膜８を設けている。反射膜８は、光抜き孔６０２の内周面に銀の薄膜を貼り付けて設ける。
【００２７】
表面シート７は、押圧スイッチ３０１等のスイッチの機能や、第１のＬＥＤランプ４０２等のＬＥＤランプの役割が印刷されたシート状の部材である。図２では、第１のＬＥＤランプ４０２の側部に「電源」と記載されている。これにより、第１のＬＥＤランプ４０２が電源のオン・オフの状態を示すものであることを示している。また、図２において「リセット」と記載された円部７１０は、押圧スイッチ３０１と重なる位置にあり、当該円部７１０を押すと押圧スイッチ３０１がオンになり電源がリセットされる。すなわち、円部７１０は、電源のリセットキーとして機能する。同様に、図２における表面シート７の右下部にある４つの円部７１１〜７１４は、制御パラメータの設定等を行う際の設定キーとして機能する。
【００２８】
本実施の形態のインバータ装置におけるフロントパネル６は、上記のように光抜き孔６０２の内周面に反射膜８を設けている。この反射膜８を設けたことによる作用効果について、図４を参照しながら説明する。
【００２９】
図４は、図３における第１のＬＥＤランプ及びその周辺を拡大した断面図である。
【００３０】
第１のＬＥＤランプ４０２は、図４に示すように、出射光軸ＬＸが操作パネル（フロントパネル６）の正面方向と一致している。第１のＬＥＤランプ４０２の出射光は指向性が高く、出射光軸ＬＸ方向に出射する光Ｌ０の強度が最も強い。そして、出射光軸ＬＸからの傾きが大きい斜め方向に出射する光Ｌ１は、光Ｌ０に比べて強度が弱い。
【００３１】
フロントパネル６の光抜き孔６０２の内周面に反射膜８を設けていない場合、第１のＬＥＤランプ４０２から出射した光Ｌ１は、光抜き孔６０２の内周面で反射する際にその一部が吸収され強度が低下する。そのため、光抜き孔６０２を通過した光Ｌ１は強度が非常に弱くなり、目視することが難しくなる。また、光抜き孔６０２で反射した強度の弱い光Ｌ１は、当該内周面をフロントパネル６の正面方向に延長した視界範囲ＬＡの外側となる斜め方向に出光する。すなわち、反射膜８を設けていない場合には、視界範囲ＬＡの外側となる斜め方向からフロントパネル６を見た場合に、第１のＬＥＤランプ４０２が点灯しているか否かがわかりづらい。
【００３２】
これに対し、本実施の形態のように反射膜８を設けた場合、第１のＬＥＤランプ４０２から出射した光Ｌ１が反射膜８で反射するので、反射による強度の低下が少ない。そのため、光Ｌ１のように視界範囲ＬＡの外側となる斜め方向に出光する光の強度の低下を抑えられる。その結果、光Ｌ１の進行方向からフロントパネル６を見た際に光Ｌ１を目視できるようになる。したがって、本実施の形態のインバータ装置では、第１のＬＥＤランプ４０２から出射した光を目視可能な範囲が視界範囲ＬＡよりも広くなり、フロントパネル６を斜め方向から見た場合にも第１のＬＥＤランプ４０２が点灯しているか否かがわかる。
【００３３】
このように、本実施の形態のインバータ装置は、ＬＥＤランプから出射した光が通過する光抜き孔６０２の内周面に反射膜８を設けたことにより、ＬＥＤランプの光を目視可能な範囲を広くすることができる。
【００３４】
なお、反射膜８は、第１のＬＥＤランプ４０２等のＬＥＤランプが発する光に対する反射率が高いものであればよい。そのため、反射膜８は、上記の銀の薄膜に限らず、アルミニウム等の薄膜を貼り付けて設けてもよい。また、反射膜８は、銀やアルミニウムの薄膜を貼り付ける代わりに、めっき法で形成してもよい。その他にも、反射膜８は、白色塗料等の明度の高い色の塗料を塗布して設けてもよい。
【００３５】
さらに、本実施の形態のインバータ装置では、フロントパネル６の色を、第１のＬＥＤランプ４０２等のＬＥＤランプの発光色に対する反対色としてもよい。この場合、図４に示したフロントパネル６の外表面６０３が第１のＬＥＤランプ４０２の発光色に対する反対色となる。そのため、第１のＬＥＤランプ４０２の光を目立たせることができ、フロントパネル６の斜め方向に出光する光をさらに目視しやすくなる。
【００３６】
（実施の形態２）
本実施の形態のインバータ装置は、実施の形態１で挙げた反射膜８を設ける代わりに、フロントパネル６の光抜き孔６０２の内周面を鏡面加工したものである。すなわち、板金をプレス加工してフロントパネル６を形成した後、光抜き孔６０２の内周面を研磨し鏡面化することで、当該内周面の反射率を高くしている。これにより、実施の形態１で挙げたインバータ装置と同様の効果が得られる。
【００３７】
なお、光抜き孔６０２の内周面を研磨する際には、鏡面に限らず、鏡面に近い光沢度を有する面にしてもよいことはもちろんである。
【００３８】
（実施の形態３）
本実施の形態のインバータ装置は、実施の形態１及び実施の形態２とは異なり、フロントパネル６に用いる材料を、第１のＬＥＤランプ４０２の光が反射しやすい色にすることで、フロントパネル６から斜め方向に出光する光を目視しやすくする。
【００３９】
樹脂成形によりフロントパネル６を形成する場合、用いる樹脂の色の自由度が高く、かつ光抜き孔６０２の内周面の光沢度を高くすることが可能である。そのため、白色等の明度が高く光を反射しやすい色の樹脂を用いてフロントパネル６を形成すれば、光抜き孔６０２の内周面での反射による光の強度低下を抑えることができる。これにより、実施の形態１及び実施の形態２で挙げたインバータ装置と同様の効果が得られる。
【００４０】
この際、フロントパネル６の色を第１のＬＥＤランプ４０２の発光色に対する反対色にすると、第１のＬＥＤランプ４０２の光を目立たせることができ、さらに目視しやすくなる。
【００４１】
（実施の形態４）
図５は、本発明の実施の形態４であるインバータ装置における操作パネルの主要部を示す断面図である。
【００４２】
本実施の形態のインバータ装置は、図５に示すように、フロントパネル６に形成する光抜き孔６０２の傾斜角θ１を大きくすることで、第１のＬＥＤランプ４０２の光を目視可能な範囲を広くする。
【００４３】
光抜き孔６０２の傾斜角θ１を大きくすると、視界範囲ＬＡが広くなる。さらに、第１のＬＥＤランプ４０２から出射した後、光抜き孔６０２の内周面で反射することなく出光する光Ｌ２の最大角度θ２が大きくなる。なお、角度θ２は、第１のＬＥＤランプ４０２の出射光軸ＬＸからの傾き角である。これにより、光抜き孔６０２の内周面での反射による光Ｌ２の強度の低下を防ぐことができ、フロントパネル６から斜め方向に出光する光の強度の低下を防ぐことができる。
【００４４】
このように、光抜き孔６０２の傾斜角θ１を大きくし、第１のＬＥＤランプ４０２から出射した光のうちの内周面で反射する成分を少なくすることで、第１のＬＥＤランプ４０２の光を目視可能な範囲を広くできる。
【００４５】
また、本実施の形態のように光抜き孔６０２の傾斜角θ１を大きくした場合、実施の形態１で挙げた反射膜８を設けたり、実施の形態２で挙げた鏡面加工をしたりすることなく、第１のＬＥＤランプ４０２の光を目視可能な範囲を広くできる。
【００４６】
なお、図５では、光抜き孔６０２の傾斜角θ１が第１のＬＥＤランプ４０２から出射した光Ｌ２の角度θ２よりも小さいが、これに限らず、光抜き孔６０２の傾斜角θ１を角度θ２よりも大きくしてもよい。特に、光抜き孔６０２の傾斜角θ１を、第１のＬＥＤランプ４０２から出射する光の最大出射角度よりも大きくすると、第１のＬＥＤランプ４０２から出射する光のすべてが光抜き孔６０２の内周面で反射することなく出光するので、第１のＬＥＤランプ４０２の光を目視可能な範囲をより一層広くできる。
【００４７】
（実施の形態５）
図６は、本発明の実施の形態５であるインバータ装置における操作パネルの主要部を示す断面図である。
【００４８】
本実施の形態のインバータ装置は、図６に示すように、フロントパネル６の光抜き孔６０２の内周面における深さ方向（第１のＬＥＤランプ４０２の出射光軸ＬＸ方向）の中間部分に凹凸部６０２ａを設けている。このフロントパネル６は、板金をプレス加工した後、エッチングにより光抜き孔６０２の内周面に凹凸部６０２ａを形成するとともに、内周面を鏡面化して形成する。
【００４９】
第１のＬＥＤランプ４０２から出射して光抜き孔６０２を通過する光のうち、凹凸部６０２ａよりも第１のＬＥＤランプ４０２側の傾斜面で反射した光Ｌ１は、内周面で反射した後、フロントパネル６から斜め方向に出光する。そのため、第１のＬＥＤランプ４０２が発した光を目視可能な範囲を広くすることができる。
【００５０】
一方、光抜き孔６０２の凹凸部６０２ａに入射した光Ｌ３は、当該凹凸部６０２ａが傾斜面であると仮定した場合の光Ｌ３´の反射方向とは異なる方向に反射する。このため、第１のＬＥＤランプ４０２の輝度を変更することなく、視界範囲ＬＡに出光する光の照度を変更することができる。
【００５１】
これまでのインバータ装置において第１のＬＥＤランプ４０２の照度を調節するには、第１のＬＥＤランプ４０２の輝度を制御したり、特許文献１のように第１のＬＥＤランプ４０２等の点灯時間を制御したりする必要がある。すなわち、第１のＬＥＤランプ４０２の照度を電気的に制御している。そのため、図１に示した制御手段２の表示制御部２０３としての表示制御回路の構成が複雑になる、表示制御回路の消費電力が大きくなるといった問題があった。
【００５２】
これに対し、本実施の形態５のインバータ装置では、フロントパネル６の光抜き孔６０２の内周面に設けた凹凸部６０２ａにより第１のＬＥＤランプ４０２の照度を変えている。すなわち、電気的な制御をせずに照度を変えることができるので、表示制御回路の構成が複雑になることや消費電力が大きくなることを防げる。
【００５３】
以上、本発明に係る電子機器の実施の形態を説明したが、本発明は、上記の実施の形態に示した構成に限定されるものではなく、その要旨を逸脱しない範囲において適宜変更可能であることはもちろんである。
【００５４】
例えば、本発明は、インバータ装置に限らず、ＬＥＤランプを搭載したプリント回路板と光抜き孔を設けたフロントパネルとが重ねて配置された操作パネルを備える様々な電子機器に適用可能である。また、本発明は、入力手段３と表示手段４とが集約された操作パネルを備えた電子機器に限らず、第１のＬＥＤランプ４０２等のような電源のオン・オフやインバータ回路の動作状態等の表示に用いるＬＥＤランプのみが集約された表示パネルを備えた電子機器にも適用可能である。
【符号の説明】
【００５５】
１  インバータ回路
２  制御手段
２０１  入力受付部
２０２  インバータ回路制御部
２０３  表示制御部
２０４  メモリ
３  入力手段
３０１  押圧スイッチ
４  表示手段
４０１  ７セグメントＬＥＤ
４０２  第１のＬＥＤランプ
４０３  第２のＬＥＤランプ
５  プリント回路板
６  フロントパネル
６０１  表示窓
６０２  光抜き孔
６０２ａ  凹凸部
７  表面シート
８  反射膜
ＬＸ  出射光軸
ＬＡ  視界範囲
Ｌ０，Ｌ１，Ｌ２，Ｌ３  光
【図１】
2014135137.tif 000003
【図２】
2014135137.tif 000004
【図３】
2014135137.tif 000005
【図４】
2014135137.tif 000006
【図５】
2014135137.tif 000007
【図６】
2014135137.tif 000008